(57)【特許請求の範囲】
【請求項１】
収集した空ビンや空缶を移送コンベヤにより移送する間に空ビンと空缶に選別し、空缶は更にスチール缶とアルミ缶に選別し、それぞれプレス機によって減容するようにしたビン缶選別処理装置において、収集した空ビンや空缶を大量に貯留する貯留ホッパを配設し、該貯留ホッパには収集車により収集した空ビン及び空缶を貯留ホッパの上部に持ち上げて貯留ホッパに搬入する垂直搬送装置を配設すると共に、貯留ホッパ内に洗浄水を噴射させる洗浄水噴射装置を備えたことを特徴とするビン缶選別処理装置。
【請求項２】
収集した空ビンや空缶を移送コンベヤにより移送する間に空ビンと空缶に選別し、空缶は更にスチール缶とアルミ缶に選別し、それぞれプレス機によって減容するようにしたビン缶選別処理装置において、収集した空ビンや空缶を大量に貯留する貯留ホッパを配設し、該貯留ホッパには収集車により収集した空ビン及び空缶を貯留ホッパの上部に持ち上げて貯留ホッパに搬入する垂直搬送装置を配設すると共に、貯留ホッパ及び空ビンや空缶の移送経路に臭気を吸引する臭気吸引パイプを配設し、該臭気吸引パイプには臭気吸引用の排風機及び脱臭装置を接続したことを特徴とするビン缶選別処理装置。
【発明の詳細な説明】
【０００１】
【発明の属する技術分野】
本発明は、資源のリサイクルを推進するために収集した空ビンや空缶を選別して減容処理を行うビン缶選別処理装置に関する。
【０００２】
【従来の技術】
最近では清涼飲料水やビール等の自動販売機が普及し、街角のいたるところで手軽に清涼飲料水やビール等を飲用することができるが、その反面、飲用した後の空ビンや空缶の処理が問題となっている。
【０００３】
そこで、環境保全や資源の有効利用といった点から、それらの空ビンや空缶を収集して選別し、空缶等はプレス機により圧潰して減容処理を行い、リサイクル資源として回収するビン缶選別処理装置が普及してきた。
【０００４】
【発明が解決しようとする課題】
しかしながら、上記従来のビン缶選別処理装置においては、収集した空ビンや空缶を貯留するのにストックヤードに野積みするケースが多く、景観上好ましいものではない。
【０００５】
また、選別処理装置で処理する前の空ビンや空缶は嵩が大きいため貯留するストックヤードも広い敷地を要するうえ、ストックヤードから選別処理装置への運搬にはショベルローダー等が採用されるケースが多く、ショベルローダーの旋回用スペースや走行経路を確保する必要があり、これまた広い敷地を要することとなり、従来のビン缶選別処理装置は狭い敷地には設置しにくいという問題を有していた。
【０００６】
また、収集された空ビンや空缶には飲み残しの飲料水が残留していたり、廃棄時や貯留時にほこり等が付着することが多く、貯留時や選別時に空ビンや空缶から環境上無視することのできない臭気や付着物の飛散を生じることが多い。
【０００７】
本発明は上記の点に鑑み、ビン缶選別処理装置を狭い敷地にでも容易に設置可能にすると共に、貯留時や選別時の臭気や飛散物の発生を極力少なくするようにしたビン缶選別処理装置を提供することを目的とする。
【０００８】
【課題を解決するための手段】
上記の目的を達成するために、本発明の請求項１記載のビン缶選別処理装置にあっては、収集した空ビンや空缶を移送コンベヤにより移送する間に空ビンと空缶に選別し、空缶は更にスチール缶とアルミ缶に選別し、それぞれプレス機によって減容するようにしたビン缶選別処理装置において、収集した空ビンや空缶を大量に貯留する貯留ホッパを配設し、該貯留ホッパには収集車により収集した空ビン及び空缶を貯留ホッパの上部に持ち上げて貯留ホッパに搬入する垂直搬送装置を配設すると共に、貯留ホッパ内に洗浄水を噴射させる洗浄水噴射装置を備えたことを特徴としている。
【０００９】
また、本発明の請求項２記載のビン缶選別処理装置にあっては、収集した空ビンや空缶を移送コンベヤにより移送する間に空ビンと空缶に選別し、空缶は更にスチール缶とアルミ缶に選別し、それぞれプレス機によって減容するようにしたビン缶選別処理装置において、収集した空ビンや空缶を大量に貯留する貯留ホッパを配設し、該貯留ホッパには収集車により収集した空ビン及び空缶を貯留ホッパの上部に持ち上げて貯留ホッパに搬入する垂直搬送装置を配設すると共に、貯留ホッパ及び空ビンや空缶の移送経路に臭気を吸引する臭気吸引パイプを配設し、該臭気吸引パイプには臭気吸引用の排風機及び脱臭装置を接続したことを特徴としている。
【００１１】
【発明の実施の形態】
本発明の請求項１記載のビン缶選別処理装置によれば、収集車により収集した空ビンや空缶は垂直搬送装置を介してすぐさま貯留ホッパに搬入され、収集した空ビンや空缶は野積み状態としないので、景観上好ましいものとなるうえ、風雨に曝されないので空ビンや空缶の汚れも少なくなる。また、貯留ホッパの背丈を高くし、搬入に垂直搬送装置を採用することによって空ビンや空缶をストックするためのスペースを小さくすることができて、狭い敷地にでも容易に設置することが可能となる。また、貯留ホッパに貯留している空ビンや空缶を洗浄水で洗浄することができて、悪臭や飛散物の発生を防止することができる。
【００１２】
また、本発明の請求項２記載のビン缶選別処理装置によれば、空ビンや空缶を貯留する貯留ホッパ内や空ビンや空缶の移送経路で発生する臭気を排風機により吸引して臭気吸引パイプに導入し、臭気吸引パイプに導入した臭気を脱臭装置により脱臭して大気に放出することができ、周囲に悪臭を漂わせることがなく環境上好ましいものにすることができる。
【００１４】
【実施例】
以下、本発明の実施例を図面に基づいて説明する。
【００１５】
図中１は収集車２によって収集した空ビンや空缶を貯留する背丈の高い貯留ホッパであって、貯留ホッパ１の上部には空ビン及び空缶を投入する投入口３を配設すると共に、下部には空ビン及び空缶を払い出す払出しゲート４を配設している。更に貯留ホッパ１の側部には収集車２によって収集した空ビン及び空缶を地上から上部の投入口３に搬送する垂直搬送装置であるスキップエレベータ５を配設している。スキップエレベータ５は貯留ホッパ１の側壁に沿って地上から上部の投入口３に亘って立設したガイドレール６と、空ビン及び空缶を収納し、ガイドレール６に沿って上下に昇降する昇降バケット７よりなっている。
【００１６】
貯留ホッパ１下部の払出しゲート４の下位には貯留ホッパ１より払い出された空ビン及び空缶を移送する移送コンベヤ８を配設し、移送コンベヤ８の先端部には移送中の空ビン及び空缶を種別毎に選別する選別コンベヤ９を配設している。
【００１７】
選別コンベヤ９には磁力によりスチール缶を吸着する磁選機１０を配設し、磁選機１０により回収したスチール缶は下位のスチール缶回収ホッパ１１に一時貯留するようにしている。また、選別コンベヤ９には手作業により空ビンや空缶以外のものを選別する選別ステージを配設すると共に、選別した空ビン等を回収する空ビン回収容器１２を配設している。
【００１８】
更に、選別コンベヤ９の先端部にはアルミ缶選別機１３を配設し、アルミ缶選別機１３は、ヘッドプーリとテールプーリ間に無端ベルトを掛け回したベルトコンベヤ１４から成り、ベルトコンベヤ１４のヘッドプーリには渦電流の反発力によりアルミ缶を跳ね飛ばす作用を有するアルミ缶選別用プーリ１５を採用し、アルミ缶の落下位置にはアルミ缶回収ホッパ１６を配設している。また、アルミ缶選別機１３の下位には前行程で選別できなかった空ビン及び空缶以外の紙やビニール等を回収する残渣回収容器１７を配設している。
【００１９】
そして、前記スチール缶回収ホッパ１１の下位にはスチール缶を圧潰するスチール缶プレス機１８が、またアルミ缶回収ホッパ１６の下位にはアルミ缶を圧潰するアルミ缶プレス機１９を配設している。
【００２０】
また、貯留ホッパ１には、貯留ホッパ１内に洗浄水を噴射する洗浄水噴射装置２０を備えており、洗浄水噴射装置２０は貯留ホッパ１の内部や内周面に洗浄水を噴射する水噴射ノズル２１や水供給源より水噴射ノズル２１に洗浄水を供給する給水配管２２及び洗浄水の供給停止を行う給水バルブ２３等よりなっている。更に、貯留ホッパ１には洗浄した洗浄水を清浄にする水処理装置２４を備え、水処理装置２４により清浄にした洗浄水は再度洗浄水として再利用されることが好ましい。
【００２１】
また、貯留ホッパ１及び移送コンベヤ８や選別コンベヤ９の空ビンや空缶の移送経路には、貯留ホッパ１内や空ビンや空缶の移送経路より発生する臭気を吸引する臭気吸引パイプ２５を配設し、臭気吸引パイプ２５の適宜位置には臭気を収集する臭気収集フード２６を配設すると共に、臭気吸引パイプ２５には臭気を吸引する排風機２７を接続し、更に排風機２７の排気側には臭気吸引パイプ２５に集められた臭気の臭気成分を脱臭する脱臭装置として活性炭により脱臭を行う活性炭フィルター２８を接続している。
【００２２】
なお、この脱臭装置としては活性炭フィルター以外にも種々考えられ、本実施例は脱臭装置の種類を限定するものではなく、ビン缶選別処理装置の能力や設置場所等の条件によって適宜最適なものを採用すると良い。
【００２３】
しかして、空ビン及び空缶を収集して選別処理を行う場合、収集車２により収集した空ビン及び空缶を貯留ホッパ１の側壁に立設したスキップエレベータ５の昇降バケット７により受け取ると、ガイドレール６に沿って持ち上げて上部の投入口３より貯留ホッパ１に投入して貯留する。
【００２４】
そして、貯留ホッパ１の下部に配設した払出しゲート４から所定量ずつ移送コンベヤ８上に払い出し、移送コンベヤ８により選別コンベヤ９に供給される。
【００２５】
選別コンベヤ９では側方の選別ステージの作業者によって空ビンが選別されて下位の空ビン回収容器１２に回収されると共に、磁選機１０の下方を通過しようとするスチール缶は磁選機１０により吸着されて下位のスチール缶回収ホッパ１１に回収される。
【００２６】
選別コンベヤ９を通過したアルミ缶とその他の残渣は次行程のアルミ缶選別機１３に送り込まれる。アルミ缶選別機１３ではベルトコンベヤ１４が前方に向けて回転しており、このベルトコンベヤ１４にアルミ缶や残渣が送り込まれると、アルミ缶はベルトコンベヤ１４の先端に到達すると渦電流の作用によって前方に跳ね飛ばされるようにして前方に配設したアルミ缶回収ホッパ１６に回収され、その他の残渣はベルトコンベヤ１４の先端部から下方に落下して残渣回収容器１７に回収される。
【００２７】
スチール缶回収ホッパ１１及びアルミ缶回収ホッパ１６に回収されたスチール缶及びアルミ缶はそれぞれスチール缶プレス機１８及びアルミ缶プレス機１９によって圧潰されて減容されてリサイクル資源として再利用される。
【００２８】
このように選別処理を行うために収集した空ビンや空缶は粉塵や飲み残しの飲料水が付着して汚れているケースが多いため、選別処理を行う場合に、粉塵や悪臭が発生することが多く、貯留時に洗浄するのが効果的であり、収集されて貯留ホッパ１に空ビンや空缶が貯留されると、給水配管２２の給水バルブ２３を開放して水噴射ノズル２１から貯留ホッパ１内の空ビンや空缶に向けて洗浄水を噴射して空ビンや空缶の汚れを洗浄する。そして洗浄水は貯留ホッパ１の下部から水処理装置２４に送り込まれ、水処理装置２４により清浄にされて再び洗浄水として再利用される。
【００２９】
また、洗浄しても空ビンや空缶内に飲料水が残留している場合が多く、貯留ホッパ１内や選別作業域等の空ビンや空缶の移送経路でも残留飲料水による臭気の発生があり、この臭気を取り除くために、排風機２７を作動させ、臭気収集フード２６を介して臭気吸引パイプ２５に発生する臭気を導入し、臭気吸引パイプ２５に導入した臭気は排風機２７の排気側に配設した活性炭フィルター２８を通過させて脱臭しながら大気中に放出するようにしている。
【００３０】
【発明の効果】
以上のように本発明の請求項１記載のビン缶選別処理装置にあっては、収集した空ビンや空缶を大量に貯留する貯留ホッパ１を配設し、貯留ホッパ１に空ビンや空缶を搬送する垂直搬送装置を配設すると共に、貯留ホッパ１内に洗浄水を噴射させる洗浄水噴射装置２０を備えたので、収集した空ビンや空缶を貯留するスペースを小さくすることができ、ビン缶選別処理装置を狭い敷地にでも容易に設置することができる上、貯留する空ビンや空缶を洗浄して悪臭や飛散物の発生を防止することができる。
【００３１】
また、本発明の請求項２記載のビン缶選別処理装置にあっては、貯留ホッパ１及び空ビンや空缶の移送経路に臭気を吸引する臭気吸引パイプ２５を配設し、臭気吸引パイプ２５に臭気吸引用の排風機２７及び脱臭装置を接続したので、貯留ホッパ１及び空ビンや空缶の移送経路で発生する臭気を吸引した後、脱臭して大気中に放出することができて環境上好ましいものとすることができる。
【図面の簡単な説明】
【図１】本発明のビン缶選別処理装置の一実施例を示す概要構成図である。
【符号の説明】
１…貯留ホッパ                      ２…収集車
５…スキップエレベータ（垂直搬送装置）
８…移送コンベヤ                    ９…選別コンベヤ
１０…磁選機                        １３…アルミ缶選別機
２０…洗浄水噴射装置                ２４…水処理装置
２５…臭気吸引パイプ                ２７…排風機
２８…活性炭フィルター（脱臭装置）
【図１】
0003659273.tif 000002